(57)【要約】【課題】空間における温度分布を、利用者が簡便に知ることができるので、利用者が好みの温度の座席を選択することが可能となる温度分布報知システムを提供する。【解決手段】本発明に係る温度分布報知システム１は、座席が配列された空間における温度分布を報知する温度分布報知システムであって、前記空間で温度を検出する複数の温度センサーユニット４０と、前記複数の温度センサーユニット４０で検出された温度を取得し、座席の配列に沿った温度分布を算出する情報処理部と、出射する光の波長を変更可能な光源を座席の配列に沿って複数備える表示装置６０と、前記情報処理部で算出された温度分布に基づいて、複数の光源のそれぞれが出射する光の波長を制御する表示制御部と、からなることを特徴とする。【選択図】      図１
2019204581.tif 000002
【特許請求の範囲】
【請求項１】
座席が配列された空間における温度分布を報知する温度分布報知システムであって、
前記空間で温度を検出する複数の温度センサーと、
前記複数の温度センサーで検出された温度を取得し、座席の配列に沿った温度分布を算出する情報処理部と、
出射する光の波長を変更可能な光源を座席の配列に沿って複数備える表示装置と、
前記情報処理部で算出された温度分布に基づいて、複数の光源のそれぞれが出射する光の波長を制御する表示制御部と、からなることを特徴とする温度分布報知システム。
【請求項２】
前記表示装置が照明器具であることを特徴とする請求項１に記載の温度分布報知システム。
【請求項３】
前記空間はフリーアドレスオフィスであることを特徴とする請求項１又は請求項２に記載の温度分布報知システム。
【発明の詳細な説明】
【技術分野】
【０００１】
本発明は、座席が配列されたフリーアドレスオフィスのような空間における温度分布を報知する温度分布報知システムに関する。
【背景技術】
【０００２】
従来から、利用者が特定された机を持たずにオフィスに設置された机を適宜変更して自由に利用することができるフリーアドレスオフィスが知られている。例えば、利用者が出勤して所望の机を利用することで、この机が、一日または所定の時間、その利用者が執務を行う場所となる。
【０００３】
このようなフリーアドレスオフィスとしては、例えば、特許文献１（特開２０１３−１８６８６１号公報）に、居室内における従業者の座席配置が固定されていないフリーアドレスオフィス環境が開示されている。
【特許文献１】特開２０１３−１８６８６１号公報
【発明の概要】
【発明が解決しようとする課題】
【０００４】
従来、オフィス空間における空調は、全空間の温度を一定とすることが好ましいとされてきた。しかし、人の温冷感には個人差があり、同じ温度でも快適に思う人と不快に思う人が混在する。アンケート調査を行った結果が６割快適であれば、空調環境として良しとされている。そこで、残りの４割の人の快適性を考慮してパーソナル吹出口・パーソナル空調なども実用化されている。また、近年は、放射空調の実用化されているが、放射空調は小さい制御単位ごとに温度制御が可能であり、空間内で温度分布を持たせるような空調制御が可能である。
【０００５】
このような温度分布を持たせた空調制御をフリーアドレスオフィスで行ったような場合、利用者は好みの温度の座席を選択することで快適に執務を行うことが可能となるが、これまで、このような温度分布をフリーアドレスオフィスの利用者に報知する手段が存在せず、問題であった。
【課題を解決するための手段】
【０００６】
この発明は、上記のような問題を解決するものであって、本発明に係る温度分布報知システムは、座席が配列された空間における温度分布を報知する温度分布報知システムであって、前記空間で温度を検出する複数の温度センサーと、前記複数の温度センサーで検出された温度を取得し、座席の配列に沿った温度分布を算出する情報処理部と、出射する光の波長を変更可能な光源を座席の配列に沿って複数備える表示装置と、前記情報処理部で算出された温度分布に基づいて、複数の光源のそれぞれが出射する光の波長を制御する表示制御部と、からなることを特徴とする。
【０００７】
また、本発明に係る温度分布報知システムは、前記表示装置が照明器具であることを特徴とする。
【０００８】
また、本発明に係る温度分布報知システムは、前記空間はフリーアドレスオフィスであることを特徴とする。
【発明の効果】
【０００９】
本発明に係る温度分布報知システムは、出射する光の波長を変更可能な光源を座席の配列に沿って複数備える表示装置と、前記情報処理部で算出された温度分布に基づいて、複数の光源のそれぞれが出射する光の波長を制御する表示制御部と、を有しており、このような本発明に係る温度分布報知システムによれば、フリーアドレスオフィスなどのような座席が配列された空間における温度分布を、利用者は簡便に知ることができるので、利用者は好みの温度の座席を選択することで快適に執務を行うことが可能となる。
【図面の簡単な説明】
【００１０】
【図１】本発明の実施形態に係る温度分布報知システム１のフリーアドレスオフィス１００への適用例を示す図である。
【図２】本発明の実施形態に係る温度分布報知システム１のブロック図を示す図である。
【図３】本発明の実施形態に係る温度分布報知システム１の温度−波長テーブル２５のデータ構造の一例を示す図である。
【図４】本発明の実施形態に係る温度分布報知システム１の処理のフローチャートを示す図である。
【発明を実施するための形態】
【００１１】
以下、本発明の実施の形態を図面を参照しつつ説明する。図１は本発明の実施形態に係る温度分布報知システム１のフリーアドレスオフィス１００への適用例を示す図である。また、図２は本発明の実施形態に係る温度分布報知システム１のブロック図を示す図である。
【００１２】
なお、本実施形態では、温度分布報知システム１をフリーアドレスオフィス１００に適用する例に基づいて説明を行うが、温度分布報知システム１の適用先はこれに限定されるものではない。例えば、食堂、休憩スペース、図書館の閲覧スペースなどのように比較的大きなスペースであり、人が流動的に入出し、また、その内部における人の定位置は特に定められていないような空間に適用することができる。
【００１３】
フリーアドレスオフィス１００は、デスク５１と椅子５５からなる座席が配列された空間である。本実施形態では、５つの座席が配列される方向を第１方向とし、２つの座席が配列される方向を第２方向（第１方向とは直交）としている。
【００１４】
なお、図１では第１方向に５つの座席が配列され、第２方向に２つの座席が配列される例を示しているが、本発明に係る温度分布報知システム１が適用可能なフリーアドレスオフィス１００がこれに限定される分けではない。例えば、複数の座席で島が構成されているようなオフィスにも適用することが可能である。
【００１５】
本実施形態では、表示装置６０は前記の第１方向に沿って設けられている。本実施形態の表示装置６０は、マトリクス状に配列された複数のＬＥＤ素子６１から構成されているが、ＬＥＤ素子６１がマトリクス状に配列される必要は必ずしもなく、少なくとも前記の第１方向に沿って複数のＬＥＤ素子６１が設けられていればよい。
【００１６】
なお、本実施形態では、第１方向に沿った表示装置６０を１つ有しているが、第１方向に沿った表示装置６０を２つ以上設けるようにしてもよい。さらに、表示装置６０は第２方向に沿ったものを設けるようにしてもよい。この場合も、１つ以上の第２方向に沿った表示装置６０を設けることができる。
【００１７】
温度センサーユニット４０は、温度を検出し、無線データ通信によって当該検出温度データと、自らの位置データとを送信する構成を有している。このような温度センサーユニット４０は、デスク５１に内蔵するようにしてもよい。また、温度センサーユニット４０’は、スマートフォン用クレードル５２に設けるようにしてもよい。また、温度センサーユニット４０’ ’は、ＡＩ機能を有するスマートスピーカー５３に内蔵させることもできる。
【００１８】
温度センサーユニット４０から送信される検出温度データと位置データとは、フリーアドレスオフィス１００の天井に設けられた無線通信部３０、３０’によって受信される。無線通信部３０、３０’で受信された検出温度データと位置データとは、情報処理装置２０に転送される。
【００１９】
例えば、情報処理装置２０としては、ＣＰＵなどの演算を実行する演算部、表示や入力を行うインターフェイス部、有線又は無線によるデータ通信を行う通信部、データ記録を行うＨＤＤ、ＳＳＤなどの記憶部等、を有するパーソナルコンピューターなどの汎用のものを用いることができる。なお、情報処理装置２０としては、パーソナルコンピューターに限らず、タブレット型端末などの他のものを用いるようにしてもよい。
【００２０】
情報処理装置２０の記憶部には、温度−波長テーブル２５が記憶され、温度分布報知システム１の処理において参照されるようになっている。図３は本発明の実施形態に係る温度分布報知システム１の温度−波長テーブル２５のデータ構造の一例を示す図である。
【００２１】
温度−波長テーブル２５は、温度と、ＬＥＤ素子６１を発光させる際の波長とが対応付けられて記憶されているものである。本発明に係る温度分布報知システム１では、ＬＥＤ素子６１は出射する光の波長を変更可能なものが用いられている。表示装置６０に用いられているＬＥＤ素子６１は、温度が低い方がより青く（波長がより短く）、温度が高い方がより赤く（波長がより長く）発光するようにされている。また、温度−波長テーブル２５は、季節毎の設定を有することが好ましい。本実施形態では、夏季と冬季の温度−波長の関係が記述されているが、さらに春季、秋季などの関係を記述するようにしてもよい。
【００２２】
上記の温度−波長テーブル２５に示されるように、本発明に係る温度分布報知システム１では、フリーアドレスオフィス１００空間における温度分布を、高い方を暖色系で、低い方を寒色系で報知するようになっているので、利用者が直感的に空間の温度分布を把握することが可能となる。
【００２３】
表示装置６０における個々のＬＥＤ素子６１は、表示制御部２７によって出射する光の波長が制御されるようになっている。この表示制御部２７に対しては、フリーアドレスオフィス１００における第１方向に沿った温度分布を算出した情報処理装置２０からの制御指令が送信される。
【００２４】
次に、以上のように構成される本発明に係る温度分布報知システム１の処理について説明する。図４は本発明の実施形態に係る温度分布報知システム１の処理のフローチャートを示す図である。このようなフローチャートは、情報処理装置２０によって実行される。
【００２５】
ステップＳ１００で処理が開始されると、続いてステップＳ１０１において、複数の温度センサーユニット４０から位置データと温度データとを取得する。
【００２６】
ステップＳ１０２では、位置データと温度データから、補間（空間補間技術）により第１方向に沿った温度分布を算出する。
【００２７】
ステップＳ１０３では、温度−波長テーブル２５を参照し、第１方向にそったＬＥＤ素子６１の発光波長を取得する。
【００２８】
ステップＳ１０４では、表示制御部２７に対して、表示制御指令を出力し、ステップＳ１０５で処理を終了する。
【００２９】
以上のような処理によれば、第１方向に沿った温度分布を、高い方を暖色系で、低い方を寒色系で表示装置６０により表示させることが可能となる。
【００３０】
このような本発明に係る温度分布報知システム１によれば、フリーアドレスオフィス１００などのような座席が配列された空間における温度分布を、利用者は簡便に知ることができるので、利用者は好みの温度の座席を選択することで快適に執務を行うことが可能となる。
【００３１】
また、本発明に係る温度分布報知システム１によれば、第１方向に沿った表示装置６０により、離れたところからでも、温度分布を把握することが可能となる。
【００３２】
また、本発明に係る温度分布報知システム１によれば、第１方向に沿った表示装置６０を用いることで空間全体の温度分布を表示させることでき、個別的な温度表示をする必要がない。
【００３３】
また、本発明に係る温度分布報知システム１によれば、執務者が自分で好みの温度の座席を選択することにより、自己効力感が増し満足度が高くなり、生産性も向上すると考えられる。
【００３４】
なお、本実施形態では、独立した表示装置６０を設けるように構成したが、本発明に係る温度分布報知システム１では、フリーアドレスオフィス１００に設けられている照明器具（不図示）に、表示装置６０の機能を兼用させる構成とすることもできる。
【符号の説明】
【００３５】
１・・・温度分布報知システム
２０・・・情報処理装置
２５・・・温度−波長テーブル
２７・・・表示制御部
３０・・・無線通信部
４０・・・温度センサーユニット
５１・・・デスク
５２・・・スマートフォン用クレードル
５３・・・スマートスピーカー
５５・・・椅子
６０・・・表示装置
６１・・・ＬＥＤ素子
１００・・・フリーアドレスオフィス
【図１】
2019204581.tif 000003
【図２】
2019204581.tif 000004
【図３】
2019204581.tif 000005
【図４】
2019204581.tif 000006